【事件の表示】
　特願２００１−３３４５８２「遊技媒体計数装置」拒絶査定不服審判事件〔平成１５年　５月１３日出願公開、特開２００３−１３５８３１〕について、次のとおり審決する。
【結　論】
　本件審判の請求は、成り立たない。
【理　由】
第一．手続の経緯・本願発明
　本願は、平成１３年１０月３１日に出願され、拒絶理由通知に対応して平成１５年４月２１日に手続補正書が提出され、その後なされた拒絶査定に対して拒絶査定不服の審判が請求されたたものであって、本願発明は、前記手続補正書の特許請求の範囲に記載されたとおりのものと認められるところ、請求項１に記載された発明（以下「本願発明」という）は次のとおり。　
　「遊技客が獲得した遊技媒体を計数する計数手段と、
　この計数手段による計数結果を、景品交換時に遊技場側が回収する景品用記録媒体に記録して前記遊技客に対し発行する記録媒体発行手段とを備えた遊技媒体計数装置において、
　前記計数手段による計数結果が予め設定された上限値を越えた場合に、前記記録媒体発行手段から、前記景品用記録媒体の他に当該計数結果が記録され且つ景品交換時に遊技場側が回収しない記念用記録媒体が発行されるように制御する制御手段を備えたことを特徴とする遊技媒体計数装置」
　
　
第二．刊行物に記載された発明
　原査定の拒絶理由に引用された（Ａ）特開平１１−９９２８１号公報、（Ｂ）特開２０００−３４８２４２号公報、（Ｃ）特開２００１−１０９９５４号公報には、以下の事項が記載されている。
　
　（Ａ）．特開平１１−９９２８１号公報（以下「刊行物Ａ」という）記載事項
　（Ａ−１）．「【要約】【課題】 パチンコ店としては宣伝効果が期待できるとともに、遊技客にとっては大当たりの記念または自慢となる物が得られて趣味的にも満足できるようにする。
　【解決手段】 遊技制御回路１３の作動により所定の確率で偶然性をもって大当たりが出ると電動開閉入賞装置９の開閉扉が継続的に開かれ打球が入り易い状況となることにより多数の景品球が獲得できるように構成されたパチンコ遊技機において、該パチンコ遊技機の前面に遊技中の遊技客を撮影するＣＣＤカメラ１４およびビデオプリンタ１６を設け、大当たりが出た時に前記遊技制御回路からの信号によって該ＣＣＤカメラにより遊技客が撮影され、その画像データ，パチンコ店名，パチンコ機種名等が該ビデオプリンタによりシール紙片２１に印刷され遊技客に排出されるようにした。」
　（Ａ−２）．「【０００３】【発明が解決しようとする課題】ところで、大当たりが出ると、遊技客には多数の景品が与えられるものの、従来では大当たりの何らかの記念になるような物がなかったので、趣味的には遊技客を充分に満足させることができていなかったと思われる。また、遊技客としても、何時、何処の店のどういった台で大当たりを出したのかを記録しておき、或いは自慢にしたいと思っても、過程が面倒であったのでそのようなことは実際には殆どなされていなかった。」
　（Ａ−３）．「【０００６】また、１４は遊技盤５の図柄変動表示器６の上部に前方に向けて設けられたＣＣＤカメラ（デジタルスチールカメラ）、８は該ＣＣＤカメラをパチンコ球の衝突から保護するために設けられた庇状体である。また、１５は該パチンコ遊技機本体の隣に設置されたサンドボックスで、該サンドボックス内には撮影制御回路が設けられているとともに、下部にビデオプリンタ１６が収納され、前面上部には撮影用照明ランプ１７が設けられている。１８は該ビデオプリンタ１６にて印刷されたシール紙片の排出口である。」
　（Ａ−４）．「【００１４】【発明の効果】以上説明したように本発明に係るパチンコ遊技機では、大当たりが出た場合に、その遊技客の写真、および、パチンコ店名，パチンコ機種名等が印刷されたシール紙片が排出されるようにしたので、パチンコ店としては宣伝効果が期待できるとともに、遊技客にとっては大当たりの記念または自慢となる物が得られて趣味的にも満足できるようになるなど顕著な効果がある。」
　　（Ａ−５）．してみると刊行物Ａには以下の発明（以下「引用発明」という）が記載されている。
　「パチンコ遊技機の前面に遊技中の遊技客を撮影するＣＣＤカメラ１４を設け、パチンコ遊技機の隣にサンドボックス１５を設け、当該サンドボックス１５内にはビデオプリンタ１６を設けて、大当たりが出た時に遊技制御回路からの信号によって該ＣＣＤカメラにより遊技客が撮影された画像データ，パチンコ店名，パチンコ機種名等が当該ビデオプリンタ１６によりシール紙片２１に印刷され遊技客に排出することにより、遊技客にとっては大当たりの記念または自慢となる物が得られて趣味的にも満足できるようにしたサンドボックス１５。」
　
　（Ｂ）特開２０００−３４８２４２号公報（以下「刊行物Ｂ」という）記載事項
　（Ｂ−１）．「【０００２】【従来の技術】パチンコ店等の遊技場では、磁気的手段によって金額情報が書き込まれたプリペイドカードを使用した遊技システムが採用されている。この遊技システムは、予め所定の金額分の情報が書き込まれたプリペイドカードを購入し、遊技機本体に対応して通常は該遊技機本体の側部に設けられ、パチンコ玉やメダルを貸し出す貸ユニットに該プリペイドカードを挿入し、プリペイドカードに記憶された金額情報の範囲内で所定の金額を指定すると、指定した金額分のパチンコ玉やメダルが貸し出され、遊技機本体での遊技が可能となる。」
　（Ｂ−２）．「【００４８】ここまでの説明において、遊技機本体にて獲得した金額代替物は、計数器によって計数され、この数がレシートやカードなどの記録媒体に記録されて発行され、通常のように、換金されたり景品に交換されたりする。このとき、以下のように構成すれば、さらに遊技者の利便性が向上する。」
　
　（Ｃ）．特開２００１−１０９９５４号公報（以下「刊行物Ｃ」という）記載事項
　（Ｃ−１）．「【０００９】マル４ 観光地にあるような店舗において、土産物を購入した顧客に来店記念として、顧客の画像と観光地名や店舗名、来店日時などが印刷された印刷物を提供しようとした場合や、一般の店舗においても来店の証明に画像付きのレシートを発行するサービスを行おうとした場合に、電子式キャッシュレジスタにはレシート用や売り上げ集計用のプリンタ装置と、デジタルデータ処理装置、日時や店舗データ等を格納している記億装置を備えた電子式キャッシュレジスタがあるにも関わらず、別途、撮影装置とプリンタ、キーボード等の入力装置、記億装置などを組み合わせた専用の装置を備えなければならない。」
　（Ｃ−２）．「【００１１】【課題を解決するための手段】請求項１の電子式キャッシュレジスタは、種々のデータを表示する表示装置部と、種々のデータを記憶する記憶装置部と、外部との通信を行う通信装置部とを備えた販売管理用の電子式キャッシュレジスタであって、被写体を撮影する撮影装置部と、この撮影装置部で撮影した画像情報をデジタルの画像データに変換する画像信号処理装置部とを設け、画像信号処理装置部の画像データを管理データに添付したデータを作成し、このデータを記憶装置部に保存する機能，表示装置部に表示する機能，および通信装置部を利用して外部に送信する機能のうち少なくとも１つ以上の機能を有することを特徴とする。画像データを添付する管理データには、必要に応じて店舗名，所在地，日時，担当者，販売内容等のデータが用いられる。」
　　
　　
第三．本願発明と引用発明との対比
　［１］．一致点
　　(i)．引用発明における「シール紙片」は、本願発明における「記念用記録媒体」に対応し、
　　(ii)．パチンコ遊技機においては、
　刊行物Ｂにおける前記（Ｂ−２）、及び図１に示されるように、獲得された遊技球は、計数器にて計数され、当該計数された遊技球数は当該計数器からレシートとして発行され、当該レシートにて景品と交換する景品交換手段は周知の景品交換手段であるから、引用発明を認定した刊行物Ａに具備される景品交換手段として、当該周知な景品交換手段が具備されているとの知見は当業者にとって自明な事項であること、及び当該計数器、レシートは本願発明における遊技媒体計数装置、景品記録媒体に対応することを勘案すると、
　両者は次の点で一致する。
　「遊技客が獲得した遊技媒体を計数する計数手段と、
　この計数手段による計数結果を、景品交換時に遊技場側が回収する景品用記録媒体に記録して前記遊技客に対し発行する記録媒体発行手段とを備えた遊技媒体計数装置を備え、
　遊技場側が回収しない記念用記録媒体が発行されるように制御する制御手段を備えた装置。」
　
　［２］．相違点
　　記念用記録媒体の発行に関して、本願発明は、(i)発行条件が、当該遊技媒体計数装置の計数結果が設定された上限値を越えた場合であり、(ii)当該発行装置が遊技媒体計数装置であるのに対し、引用発明は、(i)その発行条件は、大当りの場合である点、(ii)その発行装置は、サウンドボックス内のビデオプリンタである点、
　
　［３］．相違点の検討
　　(i)パチンコ遊技者が自慢する遊技として、「打止」等多量の賞球数を得た遊技結果は周知の事項であるから、多量の賞球数、すなわち、所定数以上の遊技媒体を獲得した遊技結果を自慢する遊技として、引用発明の「大当り」に代替採用することは、当業者が適宜為し得る単なる設計的事項である。
　　(ii)引用発明において、単なる設計的事項と認定した、記念用記録媒体発行対象を獲得遊技数に代替することに起因して、当該発行対象の発生時期が相違することから引用発明と相違する記念用記録媒体発行手段を要することは自明な事項であり、当該記念用記録媒体発行手段として、刊行物Ｃに示される様な記念用記録媒体発行手段を適用することは当業者が容易に想到できることである。
　すなわち、
　刊行物Ｃには、店舗における目的動作である購買動作の終了結果を演算するキャッシュレジスタにて、レシートと共に来店の証明書を発行する、記念用記録媒体発行手段が示されているから、当該キャッシュレジスタと同様、遊技機における目的動作である遊技球獲得動作の終了結果を演算して、演算結果をレシート発行する計数器、すなわち、遊技媒体計数装置に、前記キャッシュレジスタと同様にレシートと共に記念用記録媒体を発行させることは、当業者が容易に想到できることである。
　　(iii)．まとめ
　　　以上のように、引用発明において、記念用記録媒体発行対象を獲得遊技数と代替すること、当該代替に伴って生じる記念用記録媒体発行手段として、刊行物Ｃに示されるような、目的動作終了結果を演算する装置である計数器、すなわち、遊技媒体計数装置にて発行させることは当業者が容易に想到できたことである。
　そして、これら相違点を総合的に勘案しても、格別の困難性も、作用効果も認められない。
　　してみると、当該相違点は格別のものではない。
　　
　　
第四
．むすび
  したがって、本願発明は、引用刊行物Ａ，Ｂ，Ｃに記載された発明、及び周知事項に基づいて当業者が容易に発明をすることができたものであるので、特許法第２９条第２項の規定により特許を受けることができない。